(57)【要約】      （修正有）【課題】快適に着用することが出来、かつスタイリッシュな外観を有する衣服を用いて、着用者の運動を、確実に検知することできるモーションキャプチャ衣服及びモーションキャプチャシステムを提供する。【解決手段】リアルタイムモーションキャプチャシステム８０及び衣服は、一対のデニムジーンズでよい着用可能な活動モニタを含んでいる。着用可能なモニタは、衣服の縫い目の内部に配置されている加速度計、ジャイロメータ、磁力計のような複数のセンサを備えている。マイクロプロセッサ及び無線トランシーバ５８が、モーションデータ６０を、外部の装置６４へ送信する。マイクロプロセッサ及び無線トランシーバ５８は、縫い目の１つに内蔵されている。外部装置６４は、リアルタイムで、データをストア又は表示及び分析することができ、かつデータを更なる電子装置６８へ通信することができる。【選択図】図６
2018047226.tif 000002
【特許請求の範囲】
【請求項１】
編織布から構成されている衣服（２）であって、前記衣服（２）の縫い目（４）に内蔵されている複数の慣性測定ユニットを含む衣服（２）。
【請求項２】
前記衣服（２）に接してその上か、又は前記衣服（２）の前記縫い目（４）の内部に配置されており、前記複数の慣性測定ユニットに電気的に結合されている少なくとも１個のマイクロコントローラ（４０）を備えている請求項１に記載した衣服（２）。
【請求項３】
前記衣服（２）の中、又は前記衣服（２）に接してその上に配置されており、前記複数の慣性測定ユニットからのデータ（６０）を、少なくとも１個の外部データ受信及び処理装置（６４）へ無線で送信するようになっている無線送信機を備えている請求項１又は２に記載した衣服（２）。
【請求項４】
前記複数の慣性測定ユニットは、前記縫い目（４）の内部に配置されている可撓性材料を用いたコネクタ（３２）によって、前記縫い目（４）に沿って相互に連結されており、かつ前記コネクタ（３２）は、通信バスを形成する複数の電気ケーブル（３８）を有している請求項１〜３のいずれか１項に記載した衣服（２）。
【請求項５】
前記コネクタ（３２）は、少なくとも１０％弾性伸縮可能であり、かつ前記電気ケーブル（３８）は、蛇行した径路を形成するように、前記コネクタ（３２）に沿って配設されている請求項４に記載した衣服（２）。
【請求項６】
前記可撓性材料は、プラスチック、テキスタイル又は導電性ヤーンを含んでおり、前記衣服（２）は、更に、前記縫い目（４）の内部において、前記複数の慣性測定ユニットの少なくとも表面に防水性コーティング（３４）を有している請求項４又は５に記載した衣服（２）。
【請求項７】
前記衣服（２）は、パンツ、好ましくはデニムで製造されているパンツである請求項１〜６のいずれか１項に記載した衣服（２）。
【請求項８】
前記縫い目（４）は、前記パンツの脚部（１０）毎に、着用者の脚に沿って長手方向に延びる外側横方向縫い目（４）、及び／又は前記着用者の脚に沿って前記長手方向に延びる内側中央縫い目（４）を含んでいて、前記各外側縫い目（４）及び／又は前記各内側中央縫い目（４）は、着用者の大腿骨に沿って配置された少なくとも１個の前記複数の慣性測定ユニット、及び前記着用者の脚の下方部分（１６）に沿って配置された少なくとも１個の前記複数の慣性測定ユニットを含んでいる請求項７に記載した衣服（２）。
【請求項９】
前記縫い目（４）は、着用者のウェストに沿って延びるウェスト縫い目（４）を含んでおり、前記ウェスト縫い目（４）は、その内部に配置されている前記複数の慣性測定ユニットを少なくとも１個を含んでいる請求項８に記載した衣服（２）。
【請求項１０】
前記複数の慣性測定ユニットは、複数の加速度計、ジャイロメータ及び磁力計を含んでいる請求項１〜９のいずれか１項に記載した衣服（２）。
【請求項１１】
前記縫い目（４）の少なくとも１つの内部に配置されている少なくとも１個のＬＥＤ及び１個以上の振動部材（３９）を、さらに含んでいる請求項１〜１０のいずれか１項に記載した衣服（２）。
【請求項１２】
請求項３〜１１のいずれか１項に記載した衣服（２）と、前記送信されたデータ（６０）を受信し、かつ処理するようになっているプロセッサ、及び前記データを表示するディスプレイ（６６）を備えた外部装置（６４）とを含むモーションキャプチャシステム（８０）であって、好ましくは、前記外部装置（６４）は、前記データに基づいて、更に少なくとも１個の電子装置（６８）をコントロールするようになっているモーションキャプチャシステム（８０）。
【請求項１３】
リアルタイムモーションをモニタ及び解析する方法であって、
―非定常状態の実体物に配置されている衣服（２）の縫い目（４）の内部に配置されている複数の慣性測定ユニットからモーションデータを得ること（１０２）、
―前記データを、少なくとも１個のプロセッサ及びディスプレイ（６６）を備えている装置（６４）へ無線送信すること、及び
―前記データの表示及び解析の少なくとも１つを行なうこと（１０４）
を含むリアルタイムモーションをモニタ及び解析する方法。
【請求項１４】
前記複数の慣性測定ユニットの一つは重力ベクトルを検知し、前記モーションデータの取得（１０２）は、前記重力ベクトルを基準として使用し、実行することを、さらに含んでいる請求項１３に記載した方法。
【請求項１５】
前記データの表示及び解析の少なくとも１つ（１０４）は、ヒト着用者の大腿骨及び前記ヒト着用者の脛骨又は腓骨の角度、偏揺、ピッチ、位置、及び加速度の少なくとも一つに関するモーションデータを解析すること、及び前記モ−ションデータに関する運動を、前記ディスプレイ（６６）上に視覚的に表示することを含む請求項１３又は１４に記載した方法。
【請求項１６】
前記装置（６４）から無線送信されたデータ信号（７４）を受信し、かつ前記装置（６４）から無線送信されたデータ信号（７４）に基づいて触知できるフィードバックを供給するマイクロコントローラを更に備えていて、前記触知できるフィードバックは、好ましくは、複数の慣性測定ユニットによって得られ、かつ前記外部装置（６４）によって解析されたモーションデータに反応して、着用者の肉体の別々の部分へ供給される請求項１３〜１５のいずれか１項に記載した方法。
【請求項１７】
前記少なくとも１つの表示及び解析（１０４）は、収集の間、前記データを収集すること、及び希望するならば、前記収集したデータを表示することを含み、前記収集したデータの表示は、ヒト着用者の大腿骨ごと、及びヒト着用者の脛骨又は腓骨ごとの角度の統計的分布をグラフ表示することを含んでいる請求項１３〜１６のいずれか１項に記載した方法。
【請求項１８】
可撓性材料を用いたコネクタ（３２）を含むモーションキャプチャ回路であって、通信バスを形成する複数の電気ケーブル（３８）と、前記コネクタ（３２）によって電気的に相互に結合されている複数の慣性測定ユニットと、前記複数の慣性測定ユニットと電気的に接続されているマイクロコントローラ（４０）と、前記複数の慣性測定ユニットからのデータを、少なくとも１個のデータ受信及び処理装置（６４）へ無線送信するようになっている無線トランシーバ（５８）とを備えており、前記コネクタ（３２）は、少なくとも１０％弾性伸縮し、前記複数の電気ケーブル（３８）は、蛇行した径路を形成するように前記コネクタ（３２）に沿って配設されているモーションキャプチャ回路。
【請求項１９】
前記無線トランシーバ（５８）は、前記少なくとも１個の外部データ受信及び処理装置（６４）からのデータを受信できる無線レシーバを、更に備えている請求項１８に記載したモーションキャプチャ回路。
【請求項２０】
更に、前記防水性コーティング（３４）でコーティングされた前記複数の慣性測定ユニット及び前記コネクタ（３２）を備えており、前記防水性コーティング（３４）は、低圧成形法で製造された請求項１８又は１９に記載したモーションキャプチャ回路。
【請求項２１】
更に、前記コネクタ（３２）により、前記複数の慣性測定ユニット及び前記無線レシーバ（５８）に電気的に接続されている、ＬＥＤ及び振動部材（３９）のうちの少なくとも１個を備えている請求項１８〜２０のいずれか１項に記載したモーションキャプチャ回路。
【発明の詳細な説明】
【技術分野】
【０００１】
本発明は、モーションキャプチャ分野、即ち物体又はヒトの動作を記録する方法に関する。本発明は、軍用、娯楽、スポーツ、音楽、及びその他種々の用途に適用しうるものである。
【背景技術】
【０００２】
通常、モーションキャプチャは、運動行為者の肉体の所定の複数の箇所に取り付けたマーカの位置を検知するようになっている１台以上のカメラで行為者の行為を記録し、スポーツ研究、映画制作、及びビデオゲームの開発に使用されている。マーカは、再帰反射材で被覆され、カメラのレンズの近傍で発生する光を反射するようになっている。或いは、マーカに、光源、例えばＬＥＤを取り付けることもある。カメラの設置限界を調整して、行為者の皮膚及び衣服を無視し、マーカの光だけを撮影することができる。このようにして記録された運動に基づいて、デジタルモデルを３Ｄ環境にアニメ化される。
【０００３】
別の技術としては、マーカ無しのモーションキャプチャへのアプローチがある。このシステムでは、トラッキングするためのマーカの着用を必要としない。特殊なコンピュータアルゴリズムによって、光インプットの多重系列及びヒトの形を解析し、トラッキングのため、ヒトの形を、その構成要素に分解することができる。
【０００４】
上述したシステムは、使用者を検知し、記録するのに１台以上のカメラを必要とする。そのため、モーションキャプチャは、記録スタジオ、或いはカメラの視距離範囲が限られている空間でしか、実施することはできない。
【０００５】
使用者が着用する硬質又は可撓性のあるゴニオメータ（角度計）を備えている機械的トラッカも公知である。この角度測定装置は、関節角度のデータをプロセッサに提供し、運動学上のアルゴリズムを使用して、使用者の肉体の位置を決定するものである。従来の機械的トラッキングシステムは、特に自由度が一つ以上ある場合において、精度に欠けている。
【０００６】
慣性計測装置も公知である。これは、カメラを必要とすることなく、マーカの位置を検知するもので、一般に、モーションキャプチャシステムに専用のシステムと関連づけて使用され、十分可視的であるが、比較的重量があり、通常、短期間の使用用として設計されており、取り扱い難く、かつ着用心地がよくない。
従って、改良されたモーションキャプチャシステム、及び使い勝手がよいモーションキャプチャシステムが必要とされている。
【発明の概要】
【発明が解決しようとする課題】
【０００７】
本発明が解決しようとする課題は、前述した従来技術の欠点を解消し、快適に着用することが出来、かつスタイリッシュな外観を有する衣服を用いて、着用者の運動を、確実に検知することできるモーションキャプチャ衣服及びモーションキャプチャシステムを提供することである。
【０００８】
本発明が解決しようとする別の課題は、簡単に衣服に取り付けることが出来、かつ確実な方法で洗濯することができるモーションキャプチャシステムを提供することである。
【課題を解決するための手段】
【０００９】
これら及び他の課題は、請求項１に記載した衣服、請求項１２に記載したモーションキャプチャシステム、請求項１３に記載した運動をモニタし、かつ解析する方法によって、及び請求項１８に記載したモーションキャプチャ回路によって解決される。本発明の好ましい態様は従属請求項に記載されるであろう。
【００１０】
特に、本発明による衣服（以下、単に「衣服」と呼称することがある）は、編織布から構成されており、衣服の縫い目に内蔵されている複数の慣性測定ユニット（以下「ＩＭＵ’Ｓ」と略記することがある）を備えている。前記スタイリッシュな外観を有する慣性測定ユニットは、有利なことには、全ての３軸方向で３６０度運動を検知しうるようになっている。
【００１１】
本発明の特徴によって、肉体的に快適、及び／又はスタイリッシュな外観を有する日常衣服を着用している使用者の日常活動の間、着用者の運動を検知することができる。
【００１２】
本発明の衣服は、衣服に接して衣服の上に装着されているか、又は衣服に内蔵されており、複数の慣性測定ユニットに電気的に結合されている少なくとも１個のマイクロコントローラを備えていることが好ましい。
【００１３】
本発明の特徴によると、前記少なくとも１個のマイクロコントローラは、少なくとも１つの縫い目の中に含まれている。
【００１４】
本発明の幾つかの態様によると、衣服は、更に、少なくとも１つの縫い目の中に配置されているＬＥＤ及び振動部材のうちの少なくとも１個を備えている。
【００１５】
これらの本発明の態様によると、使用者には、視認的及び／又は触知的に有用な情報が与えられる。
【００１６】
衣服は、デニムで製造されているのが好ましい。或る態様として、編織布は、ストレッチデニムで製造されていてもよい。本発明の特徴によると、複数の慣性測定ユニットは、複数の加速度計を備えている。好ましくは、複数の慣性測定ユニットは、更に、ジャイロメータ及び複数の磁力計を備えている。複数の慣性測定ユニットは、スマートフォン、コンピュータ又はプロセッサを備えているその他の電子装置のように、少なくとも１個の外部のデータ受信及び処理装置と一緒に、電子通信装置内に組み込まれている。衣服は、更に、衣服の中又は衣服に接してその上に配置されており、慣性測定ユニットから、データを外部のデータ受信及び処理装備へ通信するワイヤレス送信機を備えているのが好ましい。
【００１７】
複数の慣性測定ユニットは、縫い目の中に配置されている可撓性材料を用いた帯片によって、縫い目に添って互いに電子的に連結されていてもよい。前記の可撓性材料としては、プラスチック、テキスタイル又は導電性ヤーンでよい。前記帯片は、通信バスを形成するために、複数の電気的接続手段（導電性トレース、ワイヤ、電気ケーブル等）を含んでいてもよい。
【００１８】
幾つかの態様によると、帯片は、少なくとも１０％弾性伸長することができ、かつ電気的接続手段は、波形状又はジグザグ路のような蛇行径路（即ち、連続した非線形路）状に帯片に添って配置されている。換言すれば、帯片の端部に所定の力を付与すると、帯片は、少なくとも１０％延びることができる（即ち、その長さを伸ばすことによって変形する）。その力を除去すると、帯片は弾力的に元の長さに戻る。電気的接続手段の波形又はジグザグ状或いは蛇行径路パターンによって、帯片が伸びたときに、接続手段が破断しないようになっている。
【００１９】
これらの態様により、着心地よさは高められ、かつ着用者が衣服を着用した際、衣服に埋め込まれている電子装置の存在に気づかないようになっている。
【００２０】
本発明の態様によると、更に、衣服は、帯片及び慣性測定ユニットに接して、それらの上に、及び縫い目の内部に、防水コーティングが施されている。この態様によって、衣服の電子部品は、汗、水、及びその他の如何なる液体、又は洗濯の間に経験するかも知れない他の流体から隔離される。
【００２１】
幾つかの態様において、衣服は１対のパンツである。このようなパンツの縫い目は、対のパンツのそれぞれの脚毎に、着用者の脚に添って長手方向に延びている外側の横方向の縫い目、及び／又は着用者の脚に添って長手方向に延びている内側の中央の縫い目を含んでいる。外側の横方向のそれぞれの縫い目、及び／又は内側の中央のそれぞれの縫い目は、着用者の臑部分に添って配置されている少なくとも１個のＩＭＵ、及び着用者の脚の低位部分に添って配置されている少なくとも１個のＩＭＵを含んでいる。
【００２２】
このような幾つかのパンツの態様において、縫い目には、着用者の腰回りに延びる腰回り縫い目を含んでいる。腰回り縫い目は、着用した場合、着用者の低位背中に添って配置されている少なくとも１個のＩＭＵを含んでいる。
【００２３】
衣服の他の態様としては、多種多様なタイプ及びモデルのシャツのような上半身衣服であってもよい。
【００２４】
本発明の他の課題は、編織布から構成されている衣服であって、前記衣服の縫い目に内蔵されている複数の慣性測定ユニット、衣服の中又は衣服に接触して衣服の上に配置されていて、慣性測定ユニットからのデータを少なくとも送信するようになっているワイヤレス送信機又はトランシーバ、及び送信されたデータを受信し、解析するようになっているプロセッサ、及び前記データを表示するディスプレイを含む外部の装置を有する衣服を備えているモーションキャプチャシステムを提供することである。
【００２５】
好ましくは、前記外部の装置は、データに基づいて、少なくとも更なる１個の電子装置を制御するものである。
【００２６】
本発明のシステムの幾つかの態様によると、複数の慣性測定ユニットは、少なくとも１個の加速度計、少なくとも１個のジャイロメータ及び複数の磁力計を備えている。これらは、コーティングされた可撓性材料を用いた帯片による縫い目に沿って互いに連結されている。更に、コーティングされたカプトン（Ｋａｐｔｏｎ（登録商標））の帯片が縫い目の中に配置されており、更に、縫い目の中の可撓性帯片に結合されているＬＥＤ及び振動部材のうち少なくとも１個を備えている。幾つかの態様において、慣性測定ユニットは、弾性伸縮性バス、例えば波形状又はジグザグ路状に配置された電気ケーブルを備えているテキスタイルバスで相互に連結された電子部品の島のようなものと言える。慣性測定ユニットは、通常のＰＣＢの上に製造されていてもよく、また、樹脂又は成形プラスチックのようなコーティング材でコーティングされていてもよい。
【００２７】
本発明のシステムは、更に、縫い目の中に配置された少なくとも１個のマイクロコントローラ、及び表面がコーティングされており、縫い目の中に配置されている可撓性材料を用いた帯片で、相互に、かつ前記マイクロコントローラに電気的に結合されている複数の慣性測定ユニットを備えているのが好ましい。
【００２８】
本発明の他の課題は、リアルタイムで運動をモニタし、かつ解析する方法を提供することである。この本発明の方法は、次の要件を含んでいる。
―非定常の物体に配置されている衣服の縫い目の中に配置されている複数の慣性測定ユニットからのデータを得ること、及び
―前記データの表示及び／又は解析を行うこと。
【００２９】
本発明の態様によると、この方法は、更に、一つの縫い目の中に配置されていて、データを、少なくとも１個のプロセッサ、及びディスプレイを含んでいる装置に無線で送信する少なくとも１個のマイクロコントローラを含んでおり、前記表示及び解析の少なくとも一つは、角度、ヨ−（偏揺れ）、ピッチ、位置、及び着用者（ヒト）の大腿骨、脛骨及び腓骨のそれぞれの加速度に関する運動データの解析を含むことができる。
【００３０】
本発明の幾つかの態様によると、この方法は、更に、少なくとも１個のＩＭＵ（好ましくは、着用者のウェストに添って配置されている衣服の縫い目の中に取り着けられている１個のＩＭＵ）による重力ベクトルを検知するステップを含んでいる。これらの態様において、運動データを得るステップは、重力ベクトルを参照して実行される。
【００３１】
好ましくは、前記運動データを得るステップは、加速度計、ジャイロメータ、及び磁力計からの運動データを得ることを含んでいる。本発明の方法は、線形２次評価法を適用するアルゴリズムを使用するデータの解析を含んでいてもよい。
【００３２】
本発明の幾つかの態様によると、この方法は、データを使用して、少なくとも１つの電子装置を制御することを更に含んでいてもよい。好ましくは、前記データの表示及び解析の少なくとも一つは、運動データと関連する運動を、視覚表示装置上に視覚的に表示することを含んでいる。
【００３３】
本発明の幾つかの態様によると、本発明の方法は、データを集積する間、運動データを集積すること、及び必要な時に、集積したデータを表示するステップを含むことができる。集積した運動データを表示するステップは、着用者（ヒト）の各大腿骨の角度、及び着用者（ヒト）の脛骨又は腓骨のそれぞれの角度の統計学的分布（例えば、ヒストグラム）を表示することを含んでいてもよい。
【００３４】
更に、本発明の目的は、可撓性材料を用いた帯片を含むモーションキャプチャ回路であって、通信バスを形成する複数の電気的接続手段、前記帯片で相互に結合されている複数の慣性測定ユニット、前記慣性測定ユニットに電気的に接続されているマイクロコントローラ、及び慣性測定ユニットからのデータを、少なくとも１個の外部のデータ受信及び処理装置に無線で送信するようになっている無線送信機を含んでいるモーションキャプチャ回路を提供することである。
【００３５】
前記帯片は、少なくとも１０％の弾性伸縮性を有し、かつ前記電気的接続手段は、波形、ジグザグ又は蛇行径路状に帯片に沿って配設されていることが好ましい。
【００３６】
前記回路は、更に、防水コーティングで被覆されており、慣性測定ユニット及び帯片は、低圧成形法で製造された防水コーティングで被覆されていることが好ましい。防水コーティングは、帯片の電気ケーブルが慣性測定ユニットに接続された後に適用して、防水コーティングが、バスが慣性測定ユニットに接続されている全てのＩＭＵ及び帯片の末端部分をカバーして、密閉するようにする。
【００３７】
本発明の特定の態様によると、帯片は、衣服の縫い目に内蔵されるようになっている。
【００３８】
本発明の幾つかの態様によると、前記回路は、１個以上のバッテリ、例えば、再充電可能バッテリを含んでいてもよい。
【発明の効果】
【００３９】
本発明のモーションキャプチャ衣服は、快適に着用することが出来、複数の慣性測定ユニット、少なくとも１個の加速度計、少なくとも１個のジャイロメータ、及び複数の磁力計を、縫い目の中に内蔵しているので、スタイリッシュな外観を有しており、日常用としても着用できる。更に、慣性測定ユニットに電気的に接続されているマイクロコントローラ、及び慣性測定ユニットからのデータを、少なくとも１個の外部のデータ受信装置及び処理装置に、無線で送信するようになっているので、本来の目的である着用者の運動データ、例えば着用者（ヒト）の各大腿骨の角度、及び着用者（ヒト）の脛骨又は腓骨のそれぞれの角度の統計学的分布を、瞬間的に表示することができ、正確な運動データを迅速に集積することができる。
【図面の簡単な説明】
【００４０】
添付した図面を参照して、以下の詳細な説明を読むことにより、本発明をよく理解しうるものと思う。普通に実施するに際し、図面の種々の特徴は、必ずしも、原寸通りの縮小又は拡大ではないことを強調しておく。逆に、種々の寸法は、明確にするために、適宜拡大又は縮小されている。明細書、特許請求の範囲、図面及び要約書を通して、同じ数字は、同じ要素を示している。
【図１】本発明の一態様である着用可能な運動モニタ衣服の正面図。図１Ａは図１に示した衣服の一部の拡大図。
【図２】本発明の一態様による着用可能な運動モニタ衣服の縫い目の拡大断面図。
【図３Ａ】本発明の一態様による着用可能な運動モニタ衣服の縫い目の内部に配置されている可撓性コネクタで一緒に結合した慣性測定ユニット（ＩＭＵ’ｓ）の配置図。
【図３Ｂ】本発明の一態様による慣性測定ユニットのための通信バスを形成する弾性伸縮性帯片を示す正面図。
【図３Ｃ】本発明の一態様による慣性測定ユニットのための通信バスを形成する弾性伸縮性帯片を示す正面図。
【図３Ｄ】図３Ｂ及び図３Ｃの弾性伸縮性帯片の拡大断面図。
【図４Ａ】本発明の一態様による着用可能な運動モニタ衣服にセンサを位置決めするための配置図。
【図４Ｂ】本発明の一態様による着用可能な運動モニタ衣服にセンサを位置決めするための配置図。
【図４Ｃ】本発明の一態様による着用可能な運動モニタ衣服にセンサを位置決めするための配置図。
【図５】本発明の一態様による方法を示すフローチャート。
【図６】本発明の一態様によるモーションキャプチャシステムを示す図。
【図７】本発明の特定の態様によって集め、表示した運動データを示す図。
【発明を実施するための形態】
【００４１】
以下、リアルタイムのモーションキャプチャシステム及び衣服について述べる。
【００４２】
本発明の衣服は、着用可能な運動モニタで、シャツ又は１対のジーンズ、或いはその他多種多様な衣服であって、デニム又は他の適当な材料で製造されている。本発明の着用可能な運動モニタは、慣性測定ユニット（ＩＭＵ’ｓ）のような複数のセンサを備えている。前記複数の慣性測定ユニットには、加速度計、ジャイロメータ、磁力計、及びその他のセンサが包含される。慣性測定ユニットは、相互に、かつ、少なくとも１個のマイクロコントローラ、及び１個以上の外部のデータ受信及び処理装置と、電子通信状態にある。全ての慣性測定ユニットは、衣服の縫い目の中に配置されていることが好ましい。或いは、慣性測定ユニットは、衣服内において、布地と布地の間に形成された縫い目の内部に含まれる。マイクロプロセッサは、縫い目の一つの内部に含まれるか、又は衣服の内部又は衣服に接して、その上の他の位置に配置してもよい。
【００４３】
種々の態様では、触覚の通知装置及び／又はＬＥＤも、縫い目の一つの内部に入れてもよい。テキスタイル又はプラスチック、或いは導電性ヤーンのような可撓性材料で形成された帯片は、慣性測定ユニット及びマイクロプロセッサ、並びにその他の装置と電気的に結合され、かつ縫い目の内部に配置されて、可撓性回路基板、及び縫い目の内部に含まれる慣性測定ユニットを伴う本発明の着用可能な運動追跡装置が提供される。前記帯片は、カプトン（Ｋａｐｔｏｎ（登録商標））の帯片のような可撓性回路基板でよく、縫い目の中の他の電子部品のように、防水コーティングで被覆すると効果的である。
【００４４】
慣性測定ユニットで得た運動データは、慣性測定ユニットが発生したデータを送信するようになっているラジオアンテナのような無線送信機によって、コンピュータ又はその他のプロセッサのような外部のデータ受信及び処理装置へ無線送信される。無線送信機は、衣服に接して衣服の上に、又は衣服の中に配置されており、マイクロプロセッサの一部であってもよい。本発明は、魅力的で、着心地がよく、ファッショナブルで、邪魔にならず、軽量で、洗濯可能である、着用可能な運動追跡装置を提供するものである。衣服の外部に、ケーブルを付ける必要はない。構成部品は、汗、水、及びその他の液体又は流体から離隔されており、コーティングされている縫い目の中に配置されているので、接点及び経路は目に見えない。
【００４５】
着用可能な運動モニタは、医療、理学療法及びリハビリテーション、スポーツコーチ、スポーツ技術解析、体形記録、姿勢及び平衡モニタ、スポーツ障害防止、歩行及び走行の多様な解析、ヒトの団体のシンクロナイズド運動のモニタ、走行及び歩行の解析、投球モニタ、年配者の運動モニタ、睡眠中の肉体の運動による一時的無呼吸の解析、及びその他多種多様な分野で利用が可能である。
【００４６】
慣性測定ユニットは、縫い目及び着用者の肉体に対して位置決めされている縫い目の中に配置され、加速度計、ジャイロメータ、及び磁力計を使用して、肉体部分の正確な角度、ヨー（偏行）、位置、及びピッチ、並びに肉体部分の加速度及び他の運動を測定することによって、リアルタイムベースで運動を捕捉するものである。慣性測定ユニットは、全ての３軸の３６０度の運動を検知するようになっている。限定された角度の加速度計を使用している場合は、複数の加速度計を、補助的に使用して、死角をカバーすることもできる。
【００４７】
例えば、図示したように、衣服は、１対のパンツを備えており、１対のパンツの各脚部は、それぞれ、着用者の脚骨に平行な方向に延伸する外側横方向の縫い目、及び着用者の脚骨に平行な方向に延伸する内側中央の縫い目を有している。外側横方向及び内側中央の縫い目は、それぞれ、着用者の上脚部（大腿骨）に添って配置されている加速度計、ジャイロメータ及び磁力計、及び着用者の下脚部（脛骨及び腓骨）に添って配置されている加速度計、ジャイロメータ及び磁力計を含んでおり、着用者の脚の各骨の運動を、測定及びモニタする。上述したように、記載した幾つかの態様によると、複数の加速度計を補完的な方法で使用することもできる。
【００４８】
本発明は、活動追跡システムをも提供するものである。この活動追跡システムは、上述した着用可能なモーションキャプチャ衣服、及び衣服の内部又は衣服に接してその上に配置されており、慣性測定ユニットからのデータを、外部の装置へ送信するようになっている無線アンテナのような無線送信機を備えている。前記外部の装置には、プロセッサ及びディスプレイが含まれる。前記外部の装置には、更に、データを記録するメモリが含まれる。ディスプレイは、スクリーン又はグラフィカルユーザーインターフェース（ＧＵＩ）のような他の可視インターフェースに、衣服を着用している複数のヒトの運動を表示する。プロセッサは、慣性測定ユニットから受信したデータを解析する。
【００４９】
幾つかの態様において、外部装置は、フィードバック情報又はアラームを提供する。幾つかの態様において、外部装置は、データ解析に基づいて、他の電子装置に信号を送信する。幾つかの態様において、システムは、コントローラとして作用する衣服を含んでおり、家電製品、コンピュータゲーム、その他の電子装置等をコントロールする。慣性測定ユニットから得たデータは、コントローラに提供され、次いで、前記で例示した電子装置をコントロールする。
【００５０】
本発明は、リアルタイムモーションキャプチャ法、及び前記モーションの解析を提供するものである。リアルタイムモーションキャプチャ法は、前述した衣服のような着用可能運動モニタからデータを得ること、及び前記データを受信し、かつ前記データを解析するようになっている外部データ受信及び処理装置へ伝達し、前記データを、図形を使用して、又は種々の他の形態で表示することを含んでいる。他の態様によると、後刻、前記データは、記憶され、表示され、解析される。本発明の方法は、体の複数の部位の正確な角度、傾斜、位置、及びピッチ、並びに慣性測定ユニットを縫い目に沿って適切に位置決めし、かつ縫い目を着用者の体に沿って適切に位置決めすることによって体の部位の加速度及び他の運動を測定してデータを得ることを含んでいる。本発明の方法は、無線又は他の方法で、データを、プロセッサを備えている外部のデータ受信及び処理装置へ送信する。外部のデータ受信及び処理装置は、他の電子装置を制御し、及び／又はデータ解析に基づいてフィードバックする。カルマン（Ｋａｌｍａｎ）フィルタのような線形二次評価（ＬＱＥ）として知られている種々のアルゴリズム及び方法を使用してデータを解析し、有用で、使用者が都合よくフォーマットするデータを提供することができる。
【００５１】
図１は、一態様としての１対のパンツである衣服２を示している。本発明の他の態様においては、衣服２は、ヒト又は他の動物が着用するか、又は動く装置に被せるようになっているシャツ又は衣装の一部であってもよい。図示の態様では、衣服２は、少なくとも外側縁６、及び左右の脚部１０の内側中央８に縫い目４を有している。着用者が、衣服２を着用した場合、縫い目４は、通常、着用者の脚の長手方向に沿って延びており、かつ、パンツの脚部１０の上方部分１４の着用者の大腿骨に平行に延びている。
【００５２】
本発明の着用可能な運動モニタの利点は、着用可能な運動モニタを形成する電子部品が縫い目の内部に配置されていて、目に見えないことである。換言すれば、着用可能な運動モニタを形成する電子部品は、編織布に囲まれており、衣服の縫い目の中にある。縫い目は、編織布の二つの重なり部分が、一緒に接合されている部分である。然しながら、他の態様では、本発明のシステムは、他のタイプの衣服の縫い目の中に形成してもよい。
【００５３】
図１Ａは、縫い目４の拡大図である。図１及び図１Ａに示す縫い目４は、縫い目の一つの例を示しているが、他の態様として、多種多様のタイプの縫い目が設けられる。他の態様では、様々なスティッチング法又は他の方法を使用して、縫い目を形成することができる。特に効果がある幾つかの態様においては、衣服は１対のデニムのジーンズであるが、他の態様では、他の材料及び他の衣服とすることもできる。他の態様における衣服２は、ショーツ、シャツ、フルボディースーツ、脚及び腕等のスリーブ等でもよいが、これらに限定はされない。衣服２は、デニム、ストレッチデニム、又は種々の適切な材料で製造されている。
【００５４】
衣服は、慣性測定ユニット（ＩＭＵ）、又は縫い目の中に配置されている他のセンサが、着用者の体に正確に位置するように、体にピッタリした、又は体に密着した形状のものが効果的である。
【００５５】
図１Ａは、二つの編織布片２０、２２で製造された縫い目４を示している。二つの編織布片２０、２２は、一緒に接合され、スティッチング２６によって縫い目４を形成している。鎖線で示すように、完全に縫い目の中に、センサ３０と可撓性があるコネクタ３２が配置されている。センサ３０は、慣性測定ユニット（ＩＭＵ）又は他のセンサ、及び他の構成部品である。種々の態様では、センサ３０は、加速度計、ジャイロメータ、磁力計、又は、その他の適当な運動センサであり、或る態様では、１個以上の外部データ受信及び処理装置である。或る態様では、センサ３０は、接続帯片に配置されているか、又はワイヤ、繊維等のような他の可撓性コネクタによって、一緒に結合されている。可撓性コネクタ３２も、縫い目４の内部に配置されており、従来の衣服の縫い目に適合しうるような細長くて薄い帯片部材である。或る態様では、カプトン板（ｋａｐｔｏｎ（登録商標））又はカプトンリボン（ｋａｐｔｏｎ（登録商標）リボン）のような可撓性回路基板が、可撓性コネクタとして使用される。カプトン（ｋａｐｔｏｎ（登録商標））は、１９６０年代後期にデュポン社が開発したポリイミドフィルムであり、広範な温度範囲に亘って安定で、特に、可撓性印刷回路に使用されている。他の態様では、帯片又は他の形状の可撓性タイプの回路基板、及び他のタイプの可撓性のプラスチック材料、及び／又は可撓性絶縁材、或いは種々の適切なコネクタを使用することができる。他の態様では、可撓性コネクタ３２は、テキスタイル、導電性ヤーン、又は他の適切な軟性材料で製造することができる。可撓性コネクタ３２は、多重電気的接続部を有し、通信バスを形成する帯片でもよい。センサ３０は、可撓性コネクタ３２と結合されるが、これに関しては後で詳説する。
【００５６】
図２は、図１及び図１Ａに示した縫い目４の断面図である。センサ３０及び可撓性コネクタ３２は、編織布片２０、２２から形成されている縫い目４の内部に配置されている。本発明の種々の態様では、センサ３０及び可撓性コネクタ３２は、防水性コーティング３４で被覆されている。幾つかの態様では、可撓性コネクタ３２は、電気的接続手段を包摂する防水性材料で製造されており、センサ３０だけが、防水性コーティング３４で被覆されている。プラスチックである市販のアクリロニトリルブタジエンスチレン（ＡＢＳ）のような材料を使用する電子部品の絶縁、又は冷間成形に使用される樹脂コーティングのような多種多様な材料を、防水性コーティング３４として使用することができる。また、他の態様では、他の熱可塑性樹脂、例えばポリアミド−６−６，ＰＡ６６（即ち、［ナイロン６６（登録商標）］）、更に別の態様として、他の適切な材料を防水性コーティング３４として使用してもよい。
【００５７】
可撓性コネクタ３２及びその上に配設されたセンサ３０は、図３Ａに示してある。図３Ａは、可撓性コネクタ３２に結合された複数のセンサ３０を含むモーションキャプチャ回路を示している。幾つかの態様では、可撓性コネクタ３２及びセンサ３０の配列の幅Ｗは１．５ｃｍ以下であるが、他の態様では、幅の寸法を変えて、可撓性コネクタ３２を衣服の縫い目４の内部に配置してもよい。センサ３０は、加速度計、ジャイロメータ及び磁力計のような慣性測定ユニット（ＩＭＵ）であるが、他の態様では、他のセンサを使用してもよい。加速度計及びジャイロメータは、それぞれ、加速度及び角速度を表示することが知られている。従って、運動を正確に表示するのに使用することができ、モーションキャプチャ機能を有する。磁力計は、本質的に、コンパス機能をもっていて、地球の磁場に関する情報を直接提供する。特に、磁力計は、加速度計及びジャイロメータと連結して使用すると、絶対定位を含む位置情報が提供される。センサ３０は、導電性要素３８（例えば、トレース、ワイヤ等）によって、可撓性コネクタ３２に、相互に、及び他の部品と電機的に接続されているが、他の態様では、電機的に接続する他の手段が使用される。多種多様な導電性材料を使用することができる。可撓性コネクタ３２には、例えば複数の電気ケーブル３８、好ましくは同軸ケーブルが含まれる。
【００５８】
幾つかの態様では、ＩＭＵ，即ちセンサ３０は、通常のＰＣＢ上に製造された電子機器の島（Ｉｓｌａｎｄ）のようなもので、弾性的に伸縮可能な帯片状の可撓性コネクタ３２によって相互に連結されている。特に、図３Ｂ及び図３Ｃでは、一組の電気ケーブル３８を備えている帯片状コネクタ３２を含む弾性的に伸縮性があるバスを示してある。電気ケーブル３８は、波状（波形）又はジグザグの蛇行径路（即ち、連続した非線形経路）に沿って配設されている。図３Ｂに示す可撓性コネクタ３２の弾性伸縮度は、図３Ｃに示すコネクタ３２の弾性伸縮度よりも小さい。従って、コネクタ３２の所定の長さ当たり、図３Ｃの電気ケーブル３８の長さは、図３Ｂの電気ケーブル３８の長さよりも長くなる。換言すれば、可撓性コネクタ３２の所定の長さ当たり、図３Ｃに示した電気ケーブル３８は、より大きく伸縮することができる。電気ケーブル３８は、弛緩位置において、すなわち、伸縮力が掛かっていない場合、伸縮力が掛かっている場合より、強く蛇行している。換言すれば、可撓性コネクタ３２に、伸縮力が適用された場合、電気ケーブル３８は、より線形形状の経路に追随する、即ち、電気ケーブル３８は、真直ぐになる。通常、可撓性コネクタ３２は、少なくとも１０％弾性伸縮する。例えば、可撓性コネクタ３２は、編み込み、又は織り込みによって電気ケーブル３８に結合されている伸縮性ヤーンを含むテキスタイルから製造することができる。
【００５９】
図３Ｄは、図３Ｂ及び図３Ｃに示した可撓性コネクタ３２の断面図である。この態様では、電気ケーブル３８は同軸ケーブルであり、外側コンダクタ３８ａ及び内側コンダクタ３８ｂを備えている。例えば、一方の同軸ケーブル３８は、ＩＭＵ’Ｓ又は他の電子部品を電源に接続するために使用し、他方の同軸ケーブル３８は、通信データ用に使用することが出来る。
【００６０】
更に、センサ３０に加えて、図３Ａは、可撓性コネクタ３２に配置されたマイクロコントローラ４０を示している。様々なマイクロコントローラが使用される。他の態様では、マイクロコントローラ４０を、衣服２の内部又は衣服に接して衣服の上の様々な他の位置に配置してもよい。また、幾つかの態様では、マイクロコントローラを、ジーンズの前チャックを覆うボタンとして、又はベルトループ上に配置してもよく、マイクロコントローラを、他の様々な適切な位置に配置することができる。幾つかの態様では、可撓性コネクタ３２は、ブルートウース（Ｂｌｕｅｔｏｏｔｈ（登録商標））電気回路構成部品、及びマイクロコントローラ４０を備えている。種々の態様では、マイクロコントローラ４０は、無線アンテナを備えていて、センサ３０が得たデータを無線で送信するようになっている。ブルートウース（Ｂｌｕｅｔｏｏｔｈ（登録商標））電気回路構成部品は、可撓性コネクタ３２に配置された部品及び可撓性コネクタ３２自体に、コンピュータ、タブレット、携帯電話、又は他のパーソナル電子機器、或いはプロセッサのような外部データ受信及び処理装置に通信させるようになっている。ブルートウース（Ｂｌｕｅｔｏｏｔｈ（登録商標））電気回路構成部品は、無線アンテナのように、様々な無線送信機を具備しており、無線又は他の手段で一基以上の外部の部品へデータを送信する。
【００６１】
再度図３Ａを参照して説明する。可撓性コネクタ３２及びセンサ３０の相対幅は、他の態様に従って変化する。幾つかの態様では、可撓性コネクタ３２は、拡大されたプラットホーム断面を有していて、センサ３０を収容するようになっている。他の態様では、可撓性コネクタ３２は、一定の幅を有している。従って、可撓性コネクタ３２とセンサ３０は、ターミナル４２を使用する外部の電子装置と接続可能である。幾つかの態様では、ターミナル４２は、可撓性コネクタ３２を動力源、バッテリ又はバッテリチャージャ又は他の電子部品に接続するのに使用される。幾つかの態様では、マイクロコントローラ４０は、再充電可能バッテリでよいバッテリを備えている。従って、この態様では、ターミナル４２は、バッテリチャージャに接続される。幾つかの態様では、ターミナル４２は、縫い目の外側に配置されていてもよいような無線送信機に接続されている。幾つかの態様において、触知又は視認フィードバック装置３９は、着用者にフィードバック情報を提供する。幾つかの態様では、フィードバック装置３９は、発光ダイオード（ＬＥＤ）装置でもよく、他の態様では、フィードバック装置３９は、着用者に触知フードバックを提供する振動部材でもよい。他の態様では、可撓性コネクタ３２は、縫い目４の中に配置された別の構成要素でもよい。
【００６２】
幾つかの態様では、ターミナル４２は、コンピュータ又はマイクロコンピュータ４０をプログラミング及び／又はマイクロコンピュータ４０用のファームウェアを更新するのに使用されるような他のプロセッサに接続される。
【００６３】
図４Ａは、開示した幾つかの態様に従って、縫い目４の中に配置されたセンサの位置の一つの態様を示している。図４Ａにおいて、センサ位置４４は、パンツ脚部１０の上方部分１４の縫い目４の上にあって、センサ位置４６は、パンツ脚部１０の下方部分１６の縫い目４の上にある。図４Ａは、外側横方向位置６にある２つのセンサ位置４４及び４６及び、各パンツ脚部１０の中間内部位置８にある２つのセンサ位置４４及び４６を示しているが、他の態様では、種々の位置及び配列を使用してもよい。幾つかの態様では、それぞれのセンサ位置４４，４６には、３個のセンサ、即ち、加速度計、ジャイロメータ及び磁力計が配置されているが、他の態様では、センサ位置に、他のタイプのセンサ及び個数を使用してもよい。例えば、加速度計、ジャイロメータ及び磁力計は、衣服脚部１０の上方部分１４に沿った種々の位置において相互に接近させて配置してもよい。又、別の態様では、加速度計、ジャイロメータ及び磁力計は、それぞれ、パンツ脚部１０の上方部分１４に沿った種々の位置において相互に離して配置してもよい。パンツ脚部１０の下方部分１６に沿うセンサ３０の位置についても同様である。幾つかの態様では、加速度計、ジャイロメータ及び磁力計は、下方部分１６に沿った種々の位置、例えばセンサ位置４６において相互に接近させて配置してもよい。また、幾つかの態様では、加速度計、ジャイロメータ、磁力計、又は他の適切なセンサ３０は、下方部分１６に沿って、種々の位置で相互に離隔されている。
【００６４】
本発明は、前述したセンサを利用して、ＩＭＵ又は他のセンサを、縫い目に沿った適切な位置に位置決めし、かつ着用者の肉体に沿った適切な位置の縫い目を位置付けすることによって、時間毎の肉体の複数の部位の正確な角度、偏揺及びピッチ、並びに加速度及び肉体の部位の他の運動を測定するデータの取得する方法を提供するものである。図４Ａに示すグラフ４８は、センサ位置４４における３個のセンサから得た３個のデータカーブ５１、５２及び５３の例を示している。
【００６５】
図４Ａは、ウェスト位置７における別のセンサ位置４５を示している。この態様では、衣服は、着用者のウェストに沿って延びるウェストの縫い目４を含んでいる。ウェストの縫い目４は、ウェスト位置７、好ましくは着用したとき着用者の背中の低位部に沿って配置された少なくとも１個のＩＭＵを含んでいる。
【００６６】
センサの位置４５に配置されたＩＭＵを使用して、重力ベクトルを検知し、センサの位置４５で検知した重力ベクトルを参照して、肉体の複数の部位の角度、偏揺及びピッチを得ることができる。
【００６７】
図４Ｂ及び図４Ｃは、本発明による、縫い目４の内部における運動センサの配置の二つの態様を示している。図４Ｂでは、衣服の脚部１０の上方部分１４に沿って、ただ１個のセンサ位置４４がある。また、衣服の脚部１０の下方部分１６に、ただ１個のセンサ位置４６がある。各センサ位置４４、４６は、図４Ｂのパンツの脚部１０の外側縁６にある。逆に図４Ｃでは、パンツの脚部１０の上方部分１４に沿って、ただ１個のセンサ位置４４があり、また、衣服の脚部１０の下方部分１６に沿って、ただ１個のセンサ位置４６がある。それぞれのセンサ位置４４、４６は、パンツの脚部１０の内側中央部８に位置付けされている。
【００６８】
一般に、１対のパンツの場合、衣服２の縫い目４は、１対のパンツのそれぞれの脚部１０毎に、着用者の脚に沿って長手方向に延びる外側横方向縫い目４、及び／または着用者の脚に沿って長手方向に延びる内側中央縫い目４を備えている。外側横方向縫い目及び／又は内側中央縫い目４は、それぞれ、着用者の大腿骨に沿って配置された少なくとも１個のIMU及び着用者の脚部の下方部分１６に沿って配置された、少なくとも１個のセンサ３０を備えている。
【００６９】
図４Ａ〜図４Ｃに示す部品、及び位置に加えて、多種多様のセンサ及び位置を使用することができる。センサは、様々な態様において、様々に配置することができる。
【００７０】
本明細書は、モーション及びその方向情報が、図３Ａに示すようなマイクロコントローラ４０、又は衣服に接して、その上に又は衣服の中に配置された適切な無線送信機によって無線送信されるシステム及び方法を開示している。図５を参照して説明する。図５は、本発明の方法を示すフローチャートである。リアルタイムで運動をモニタし、解析する方法は、上述したように、非定常の本体に配置された衣服の縫い目の内部に複数の慣性測定ユニット（ＩＭＵ）を配置すること（ステップ１００）、上述したように、複数の慣性測定ユニット（ＩＭＵ）から運動データを得ること（ステップ１０２）、及び上述したように、前記データを表示及び／又は解析すること（ステップ１０４）を含んでいる。モーションデータと関連する運動は、可視ディスプレイに表示される。本発明の方法は、前記運動データを、別の電子部品に通信することも含んでいる（ステップ１０６）。
【００７１】
図６は、本発明の一態様によるモーションキャプチャシステム８０を示している。衣服２に結合された無線トランシーバ５８、送信されたデータを受信及び解析するようになっているプロセッサ等の外部装置６４と結合されたトランシーバ６２へ送信されるデータ６０、及び前記データを表示するディスプレイ６６を備えている。幾つかの態様では、モーションキャプチャシステム８０は、下記するような別の電子装置６８を含んでいる。様々な態様では、衣服２に接して、その上に、又は衣服２の中に配置された無線伝送装置は、送信機及び受信機の両方を含んでおり、無線トランシーバ５８として機能する。無線トランシーバ５８は、ブルートウース（Ｂｌｕｅｔｏｏｔｈ（登録商標））（ＢＴ）、ブルートウース（Ｂｌｕｅｔｏｏｔｈ（登録商標））低エネルギー（ＢＬＥ），又は他の適切な無線ラジオ技術通信モジュールを使用して、通信を行う。外部装置６４は、コンピュータ、種々のプロセッサ、及び他のデータ解析であっても、又はそれらを含んでいてもよい。幾つかの態様では、外部装置６４は、タブレット又は携帯電話或いはその他の個人用電子装置である。ディスプレイ６６は、解析したデータをグラフ又は表形式のような多くのフォーマットで表示する。様々な有利な態様では、ディスプレイ６６は、可視形式で表示して、衣服着用者のリアルタイムの運動を示す。外部装置６４は、使用者がデータを解析、処理及び表示するために使用することができるＧＵＩを備えている。様々な態様では、外部装置６４は、データをリアルタイムで解析及び表示することができ、またメモリを備えており、データを格納し、後刻、必要な時に解析し、表示できるようになっている。
【００７２】
幾つかの態様では、表示及び解析のステップ１０４は、データを集積する間、運動データを集積するステップ、及び集積したデータを、所望する時に表示するステップを含んでいる。集積されたデータは、図７に示すように、グラフで表示することができる。然しながら、他のディスプレイは、他の態様として表示される。特に、外部装置６４は、集積したデータを解析し、ヒトである着用者のそれぞれの大腿骨、及び着用者のそれぞれの脛骨又は腓骨の角度の統計的分布９０（例えばヒストグラム）を表示する。例えば、集積された運動データは、それぞれの脚の大腿骨（９１、９２）及び脛骨（９３、９４）ごとの集積された最小及び最大角度に対応する角度に配列された複数のセグメント９１〜９４で表示される。図７は、脚（たとえば、右脚）の集積された運動データのグラフ表示である。特に、セグメント９１及び９２は、データ集積の間、大腿骨によって達成された最小角度及び最大角度を表している。セグメント９３及び９４は、データ集積の間、脛骨によって達成された最小角度及び最大角度を表している。
【００７３】
使用者は、グラフィカルユーザーインターフェースを利用して、一方の脚の運動データを他方の脚の運動データの間で切り換え、使用者にとって簡単かつ直感的な方法で、運動の非対称性をグラフに表示することができる。
【００７４】
多数の方法及びアルゴリズムを使用して、伝送された運動及び位置データを処理及び解析し、表示又は有用な形のデータを提供することができる。幾つかの態様では、線形二次評価（ＬＱＥ）として公知のカルマンフィルタリングは、ベイズの推論、及び各時間枠の変数に対する同時確率分布を使用することにより、統計的ノイズ、及びその他の誤差を含む経時的に観察された一連の測定値を使用し、単一の測定値のみに基づくよりも、一層正確な未知の変数の推定値を生成するアルゴリズムである。
【００７５】
カルマンフィルタリング態様は、例だけによって表わされ、かつ多くの態様では、種々のデータ解析及び表示方法が使用されている。多くの態様では、複合衣服２は、データを、外部装置６４へ伝達し、データ処理及び解析は、複合衣服から受信したデータの比較を含んでいる。
【００７６】
再び図６を参照して説明する。幾つかの態様では、外部装置６４は、受信及び処理したデータを使用して、信号７０によって別の電子装置６８を制御している。幾つかの態様では、電子装置６８は、ゲーム装置であり、又別の態様においては、電子装置６８は、家庭又は自動車用装置、コンピュータゲーム、ビデオゲームである。又は、電子装置６８は、無線又はそれ以外の方法で伝送された信号を受信し、前記信号で制御される電子装置の多種多様な応用品である。着用者の運動に基づいて行なわれる多くのゲームは、携帯機器か、又は他のプラットホームによるゲームを含んでいる。他の態様では、前述した衣服２を含んでいる本発明のシステムは、電子装置６８と直接通信することができる。この態様によると、データ信号７４は、トランシーバ５８のような無線送信機で、直接、電子装置に伝達され、又、多くの態様においては、複合衣服へ伝達され、電子装置６８と直接通信することができる。
【００７７】
様々な態様では、システムは、聴覚、視覚、又は他の緊急警報を発することができる。幾つかの態様では、過剰な回転運動、大きな衝撃、又は容赦の無い落下、或いは多種多様な他の運動、又は運動パターンが、緊急警報の引き金となる。幾つかの態様では、視覚及び／又は触覚のフィードバック、即ち、非緊急通報が、様々な形で使用者に提供される。警報又は他の通報は、外部装置６４によるように、様々な表示装置によって視覚的に提供される。多くの態様では、警告又は告知は、振動エンジン付き携帯電話のような着用可能装置への振動のような触知可能通告である。幾つかの態様では、発光ダイオード（ＬＥＤ）、又は衣服自体の縫い目の中の振動部材（参照：図３Ａの装置３９）を使用して、使用者へ、視覚及び／又は触覚によるフィードバックで、警告又は他の告知を行なう。緊急状況又はその他のフィードバックの通報は、外部装置６４によって得られ、データ信号７４としてトランシーバ５８へ送られる。幾つかの態様では、マイクロコントローラ４０が、通告を発し、それを、縫い目の中のＬＥＤ又は振動部材へ送る。視認又は触知できるフィードバックは、単一又は複合振動警告音（即ち、ビー音（ｖｅｅｐｓ））又は単一又は複合ＬＥＤフラッシュで、使用者に、衣服のスイッチを入れるべきこと、衣服が機能低下状態にあること、衣服が全モニタ機能発揮状態にあること等を報せる。
【００７８】
幾つかの態様は、フィードバック告知は、ＩＭＵで得た運動データに基づいて外部装置６４によって得ることができることを教えている。フィードバック告知は、信号７４として無線トランシーバ５８に提供され、マイクロコントローラ４０は、告知を発生し、それを縫い目の中のフィードバック装置３９（ＬＥＤ又は振動部材）に送信する。幾つかの態様では、フィードバック装置３９は、着用者の肉体の特定の部位に関連した様々な位置の縫い目の中に配設されている複数の振動部材を備えており、ＩＭＵによって得られ、外部装置６４で解析された運動データに反応して、触覚のフィードバックが、着用者の肉体の異なった部位へ提供される。例えば、触覚フィードバックを使用して、着用者の身体運動の間、着用者の肉体の部位の運動が間違っているか、又は正しいかを報せることができる。
【００７９】
幾つかの態様では、外部装置６４は、無線トランシーバ５８で受信したファームウェアアップデートを提供する。
【００８０】
開示された本発明の衣服及びシステムは、データを解析して、様々な効果がある目的及び用途に使用することができる。幾つかの態様では、開示された本発明のシステムは、例えば、一対のパンツ、及び上半身衣服のような着用者が着用する１つ以上の衣服をモニタする。或る態様では、開示された衣服及びシステムは、グループスポーツ活動をモニタする。例えば、一人のトレーナが、同時に複数のスポーツマンをチェックして、例えば、全ての生徒が訓練運動を行なっている間、正しい運動を行なっているかを判断し、又は比較目的のためにチェックする。これは、リアルタイム、又はデータをストアするのに必要なメモリの容量が小さい場合は、オフライン後に実行し、後刻トレ−ナが、主題の中のデータを比較し、種々の判断をすることが出来る。他の態様によれば、例えば、アスリート又は他の実技者の運動を解析することによって事故を防止する利点が得られる。運動データは、走行又は歩行スタイル及びバランス解析に使用することができる。データは、どちらの脚を、より多く使用しているか、及び着用者のステップが経時的に正しいか否かを証明するのに使用することができる。更に、歩行（歩調）解析を使用して、解剖学的補正を示唆し、ランニングシューズのような靴の適切なスタイルを決定することもできる。多種多様な活動（運動）追跡をすることができる。データ解析によって、睡眠行動もモニタすることができる。
【００８１】
幾つかの態様において、データは、センサデータ、及び身長、体重、脚の長さ等に関する身体測定の積分に基づいて、燃焼されたカロリー計算に役立つ。更に別の態様では、ダンサー、又はスキーヤー或いはスケートボーダー等のアスリートは、特定の運動を発展させることができ、そして、多数の無関係な詳細情報を含んでいる非常に長いビデオを検討する代りに、本発明によって提供される捕捉データを記録することができる。
【００８２】
前述した内容は、単に、本発明の原理を記載したに過ぎない。従って、当業者であれば、明細書、特許請求の範囲、図面及び要約書に明確には記載又は示していないが、本発明の原理を具現化し、かつ特許請求の範囲に含まれる多種多様な変更を想到することができるものと考えられる。更に、明細書、特許請求の範囲、図面及び要約書に記載した全ての実施例及び条件付きの用語等は、原則として、単に教示の目的だけを意図するもので、技術の発展・拡大・促進のために発明者が寄与した、明細書、特許請求の範囲、図面及び要約書に記載した原理及びコンセプトの理解を助けるためのものであること、及び、特定的に記載した実施例及び条件に限定されるべきではないことを理解されるべきである。更に、明細書、特許請求の範囲、図面及び要約書に記載した原理、特徴、及び態様、並びに特定の実施例は、構成上及び機能上の均等物をも包含する意図がある。更に、前記均等物は、現在公知又は周知の均等物及び将来展開されるべき均等物、即ち構成に関係無く同じ機能を発揮する全ての要素を包含する。
【００８３】
明細書に、例示的に記載した態様に関する記載は、完全に記載された明細書の一部と考えるべき図面を参照して理解されるべきである。此処に記載した相対的な術語「低位」、「上位」、「水平の」、「垂直の」、「（〜〜から離れて）それより上に」、「（〜〜から離れて）それより下へ」、「（低い位置から）上の方へ」、「（高い位置から）低い方へ」、「（ものの）頂上、上部」及び「底、基部」並びにそれらの派生語（例、「水平方向に」、「下方へ」、「上方へ」等）は、記載した通り又は説明している図面に示した方向であると理解するべきである。これらの相対的用語は、説明の便宜上に使用するもので、装置が、特定の方向に構成又は操作される必要があることを要しない。「接続される」及び「相互接続される」のように付着、結合等に関する用語は、特段の限定記載が無い限り、構造体が、別の構造体に、直接又は中間構造体を介して、可動的又は固着又は連結して、固定又は付着されている相関関係を意味する。
【００８４】
以上本発明を、例示的な態様によって説明して来たが、本発明はそれらに限定されない。むしろ、付属書類である特許請求の範囲は、本発明の特許請求の範囲、及びその均等物から逸脱せずに、当業者によって完成された本発明の他の変形又は態様をも含むものと、広範に理解されるべきである。
【産業上の利用可能性】
【００８５】
本発明のモーションキャプチャ衣服は、快適に着用することが出来、複数の慣性測定ユニット、少なくとも１個の加速度計、少なくとも１個のジャイロメータ及び複数の磁力計を、縫い目の中に内蔵しているので、スタイリッシュな外観を有しており、日常用としても着用でき、更に、慣性測定ユニットに電気的に接続されているマイクロコントローラ、及び慣性測定ユニットからのデータを、少なくとも１個の外部のデータ受信装置及び処理装置に無線で送信するようになっているので、本来の目的である着用者の運動データ、例えば着用者（ヒト）の各大腿骨の角度、及び着用者（ヒト）の脛骨又は腓骨のそれぞれの角度の統計学的分布を、瞬間的に表示することができ、正確な運動データを迅速に集積することができる。従って、本発明の衣服及びシステムは、データを解析して、様々に効果がある目的及び用途に使用することができる。たとえば、個人運動以外に、グループスポーツ活動のモニタ、アスリート又は他の実技者の運動の解析による事故の防止、着用者のステップの経時的歩行（歩調）解析による解剖学的補正、ランニングシューズのような靴の適切なスタイルの決定、睡眠行動のモニタ、身長、体重、脚の長さ等に関する身体測定の積分に基づく燃焼されたカロリー計算等に役立つ。
【符号の説明】
【００８６】
２  衣服
４  縫い目
６  外側縁
７  ウェスト位置
８  内側中央部
１０  脚部
１４  パンツの脚部１０の上方部分
１６  パンツの脚部１０の下方部分
２０；２２  編織布片
２６  スティッチング
３０  センサ
３２  可撓性コネクタ
３４  防水性コーティング
３８  電気ケーブル
３８ａ  外側コンダクタ
３８ｂ  内側コンダクタ
３９  フィードバック装置
４０  マイクロコントローラ
４２  ターミナル
４４；４５；４６  センサ位置
４８  グラフ
５１；５２；５３  データカーブ
５８    無線トランシーバ
６０  データ
６２  トランシーバ
６４  外部装置
６６  ディスプレイ
６８  電子装置
７０  信号
７４  データ信号
８０  モーションキャプチャシステム
９０    統計的分布
９１；９２  大腿骨
９３；９４  脛骨
９１〜９４  セグメント
１００  ステップ
１０２  ステップ
１０４  ステップ
１０６  ステップ
【図１】
2018047226.tif 000003
【図２】
2018047226.tif 000004
【図３Ａ】
2018047226.tif 000005
【図３Ｂ】
2018047226.tif 000006
【図３Ｃ】
2018047226.tif 000007
【図３Ｄ】
2018047226.tif 000008
【図４Ａ】
2018047226.tif 000009
【図４Ｂ】
2018047226.tif 000010
【図４Ｃ】
2018047226.tif 000011
【図５】
2018047226.tif 000012
【図６】
2018047226.tif 000013
【図７】
2018047226.tif 000014
【外国語明細書】
2018047226000001.pdf